(57)【要約】      （修正有）【課題】物品を収容する際のスペース効率を向上させる。【解決手段】物品抜去治具１は、物品収容装置が備える係合穴に対し出没自在に設けられた係合部５１を備え、係合穴に係合部が係合することによって物品収容装置に設置された物品収容体５０を物品収容装置から抜去する。物品抜去治具は、把手部３と、物品収容体が備える係合部に設けられた被係合部５１ｂに係合するキー部材８と、キー部材を駆動し、係合部の係合穴への係合を解除する駆動部７と、物品収容装置からの抜去が許可された物品収容体に装着し、抜去が許可された物品収容体の抜去許可信号を受信したときに、駆動部に電力を供給する電源部と、キー部材を初期位置に復帰させる第１の付勢部材と、を備える。【選択図】図４
2015082332.tif 000002
【特許請求の範囲】
【請求項１】
物品収容装置が備える係合穴に対し出没自在に設けられた係合部を備え前記係合穴に前記係合部が係合することによって前記物品収容装置に設置された物品収容体を、前記物品収容装置から抜去する物品抜去治具であって、
把手部と、
前記物品収容体が備える前記係合部に設けられた被係合部に係合するキー部材と、
前記キー部材を駆動し、前記係合部の前記係合穴への係合を解除する駆動部と、
前記物品収容装置からの抜去が許可された前記物品収容体に装着し、前記抜去が許可された物品収容体の抜去許可信号を受信したときに、前記駆動部に電力を供給する電源部と、
前記キー部材を初期位置に復帰させる第１の付勢部材と、
を備えた物品抜去治具。
【請求項２】
前記電源部は、前記物品収容体が備える電力供給部から電力が供給される電力受給部を含む請求項１に記載の物品抜去治具。
【請求項３】
前記電源部は、前記抜去許可信号の受信部と、電池を含む請求項１に記載の物品抜去治具。
【請求項４】
前記キー部材は、前記駆動部によって引き込まれた位置で拘束されるとともに、解除ボタン部材の操作によって前記拘束が解除される第１ロック部を備えた請求項１乃至３のいずれか一項に記載の物品抜去治具。
【請求項５】
前記キー部材は、前記駆動部によって引き込まれた状態であるときに、前記物品抜去治具の引き抜き動作に伴って、前記駆動部によって引き込まれた位置で拘束される第２ロック部を備える請求項１乃至４のいずれか一項に記載の物品抜去治具。
【請求項６】
電子機器が収容された前記物品収容体を抜去する請求項１乃至５のいずれか一項に記載の物品抜去治具。
【請求項７】
物品収容装置に設置されるとともに、物品抜去治具を用いて前記物品収容装置から抜去される物品収容体であって、
前記物品収容装置が備える係合穴に対し出没自在に設けられるとともに、前記物品抜去治具が備えるキー部材が係合する被係合部を備えた係合部と、
前記係合部を前記係合穴側に付勢する第２の付勢部材と、
前記キー部材が挿通されるとともに、前記キー部材が係合されるキー溝部と、
前記係合部と前記係合穴との係合状態の解除を許可する抜去許可信号を前記物品抜去治具へ送信する信号発信部と、
を備えた物品収容体。
【請求項８】
前記信号発信部は、前記物品抜去治具が備える電力受給部に電力を供給する電力供給部を含む請求項７に記載の物品収容体。
【請求項９】
前記信号発信部は、導光管又は電磁石である請求項７に記載の物品収容体。
【請求項１０】
電子装置を収容する請求項７乃至９のいずれか一項に記載の物品収容体。
【発明の詳細な説明】
【技術分野】
【０００１】
本発明は、物品抜去治具及び物品収容体に関する。
【背景技術】
【０００２】
従来、小型磁気ディスク装置を集積装置によって集積することによって大容量記憶装置を構成する磁気ディスク装置が知られている（例えば、特許文献１参照）。特許文献１に開示された磁気ディスク装置は、小型磁気ディスク収容部に収容される小型磁気ディスク装置を取り外し可能な状態、または、取り外し不可能な状態とするロック機構を備える。これにより、小型磁気ディスク装置の正常動作時に、その取り外しを防止することができる。ロック機構は、ロック棒と、このロック棒を駆動するコイルを備え、このロック棒及びコイルは、小型磁気ディスク装置収容部を備えた集積装置側に設けられている。小型磁気ディスク装置のロックに利用可能なロック機構は特許文献１以外にも種々提案されている。例えば、特許文献２には、ディスク装置のディスクトレイロック機構が開示されている。
【先行技術文献】
【特許文献】
【０００３】
【特許文献１】特開昭６３−２７９４６２号公報
【特許文献２】特開２０００−１１５１２号公報
【発明の概要】
【発明が解決しようとする課題】
【０００４】
特許文献１で開示された磁気ディスク装置は、ロック機構を備えることで、正常動作中の小型磁気ディスク装置を誤って抜き取り、取り外してしまうことを回避することができる。しかしながら、ロック棒及びコイルを備えたロック機構が集積装置に設けられ、磁気ディスク装置の実装密度を低下させる一因となっていた。特許文献２に開示されたディスクトレイロック機構は、ディスクトレイ側にソレノイドが設けられており、装置の実装密度を低下させている点で特許文献１と共通しており、同様に改良の余地があった。小型磁気ディスク装置のような物品を収容する物品収容体を、さらに、ラック等に収容する構造は、例えば、書庫や金庫等にも応用可能である。物品収容体をこれらの用途に応用する場合であっても、ロック機構は各種スペース確保の妨げとなることが考えられる。
【０００５】
そこで、本明細書開示の物品抜去治具及び物品収容体は、物品を収容する際のスペース効率を向上させることを課題とする。なお、上記課題に限らず、後述する発明を実施するための形態に示す各構成により導かれる作用効果であって、従来の技術によっては得られない作用効果を奏することも本発明の他の課題の1つとして位置付けることができる。
【課題を解決するための手段】
【０００６】
本明細書開示の物品抜去治具は、物品収容装置が備える係合穴に対し出没自在に設けられた係合部を備え前記係合穴に前記係合部が係合することによって前記物品収容装置に設置された物品収容体を、前記物品収容装置から抜去する物品抜去治具であって、把手部と、前記物品収容体が備える前記係合部に設けられた被係合部に係合するキー部材と、前記キー部材を駆動し、前記係合部の前記係合穴への係合を解除する駆動部と、前記物品収容装置からの抜去が許可された前記物品収容体に装着し、前記抜去が許可された物品収容体の抜去許可信号を受信したときに、前記駆動部に電力を供給する電源部と、前記キー部材を初期位置に復帰させる第１の付勢部材と、を備える。
【０００７】
本明細書開示の物品収容体は、物品収容装置に設置されるとともに、物品抜去治具を用いて前記物品収容装置から抜去される物品収容体であって、前記物品収容装置が備える係合穴に対し出没自在に設けられるとともに、前記物品抜去治具が備えるキー部材が係合する被係合部を備えた係合部と、前記係合部を前記係合穴側に付勢する第２の付勢部材と、前記キー部材が挿通されるとともに、前記キー部材が係合されるキー溝部と、前記係合部と前記係合穴との係合状態の解除を許可する抜去許可信号を前記物品抜去治具へ送信する信号発信部と、を備える。
【０００８】
物品収容装置から抜去することが許可された物品収容体が備える係合部と物品収容装置が備える係合穴との係合状態を解除するためのキー部材及びその駆動部を物品抜去治具側に設けたので、物品収容装置側のスペース効率が向上する。
【発明の効果】
【０００９】
本明細書開示の物品抜去治具及び物品収容体によれば、物品を収容する際のスペース効率を向上させることができる。
【図面の簡単な説明】
【００１０】
【図１】図１は第１実施形態の活性枠が収容されたディスクアレイ装置の概略構成を示す説明図である。
【図２】図２（Ａ）は第１実施形態のディスクアレイ装置のブロック図であり、図２（Ｂ）は比較例のディスクアレイ装置のブロック図である。
【図３】図３は第１実施形態の物品抜去治具及び活性枠の斜視図である。
【図４】図４は第１実施形態の物品抜去治具及び活性枠の一部を断面とした説明図である。
【図５】図５は第１実施形態の物品抜去治具を底面側から観た斜視図である。
【図６】図６は第１実施形態の物品抜去治具及び活性枠の主要部の断面図である。
【図７】図７は第１実施形態の物品抜去治具の主要部を拡大して示した断面図である。
【図８】図８（Ａ）は活性枠を示し、図８（Ｂ）はディスクアレイ装置を示し、図８（Ｃ）はディスクアレイ装置に活性枠が収容された状態を示す説明図である。
【図９】図９（Ａ）は第１実施形態の物品抜去治具を活性枠に装着する準備状態を示し、図９（Ｂ）は、物品抜去治具を活性枠に装着した状態を示す説明図である。
【図１０】図１０は係合部がキー部材によって引き込まれた状態を示す説明図である。
【図１１】図１１は物品抜去治具の引き抜き動作によって、第２ロック部によってキー部材が拘束された状態を示す説明図である。
【図１２】図１２は活性枠が物品抜去治具によってディスクアレイ装置から引き抜かれる様子を示す説明図である。
【図１３】図１３（Ａ）は第１ロック部及び第２ロック部によってキー部材が拘束された状態を示し、図１３（Ｂ）は第２ロック部が解除された状態を示す説明図である。
【図１４】図１４は第２実施形態の物品抜去治具及び活性枠を示す説明図である。
【図１５】図１５は第３実施形態の物品抜去治具及び活性枠を示す説明図である。
【図１６】図１６は第３実施形態の物品抜去治具及び活性枠が備える電磁石及び電磁スイッチを示す説明図である。
【発明を実施するための形態】
【００１１】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１２】
（第１実施形態）
まず、図１乃至図８を参照しつつ、第１実施形態の活性枠５０を収容するディスクアレイ装置１００及び活性枠５０をディスクアレイ装置１００から抜去するための物品抜去治具１について説明する。図１は第１実施形態の活性枠５０が収容されたディスクアレイ装置１００の概略構成を示す説明図である。図２（Ａ）は第１実施形態のディスクアレイ装置１００のブロック図である。図２（Ｂ）は比較例のディスクアレイ装置のブロック図である。図３は第１実施形態の物品抜去治具１及び活性枠５０の斜視図である。図４は第１実施形態の物品抜去治具１及び活性枠５０の一部を断面とした説明図である。図５は第１実施形態の物品抜去治具１を底面側から観た斜視図である。図６は第１実施形態の物品抜去治具１及び活性枠５０の主要部の断面図である。図７は第１実施形態の物品抜去治具１の主要部を拡大して示した断面図である。図８（Ａ）は活性枠５０を示し、図８（Ｂ）はディスクアレイ装置１００を示し、図８（Ｃ）はディスクアレイ装置１００に活性枠５０が収容された状態を示す説明図である。なお、以下の説明において、説明の都合上、上下方向、左右方向、前後方向を図３、その他の図に示すように規定する。
【００１３】
本実施形態におけるディスクアレイ装置１００は、物品収容装置に相当する。ディスクアレイ装置１００は、Hard Disc Drive（ＨＤＤ）８０を複数束ねて一台のＨＤＤと同様に利用することができる。ＨＤＤ８０は、それぞれ活性枠５０に収容された状態でディスクアレイ装置１００に設置される。すなわち、本実施形態における活性枠５０は、物品収容体に相当し、これに収容される物品が、ＨＤＤ８０となる。ＨＤＤ８０は、電子装置の一例である。
【００１４】
図１を参照すると、複数の活性枠５０が、ディスクアレイ装置１００が備える支柱１０１に装着され、設置されている。図２（Ａ）を参照すると、ディスクアレイ装置１００とは別体とされた物品抜去治具１が準備されている。物品抜去治具１は、少なくとも一つ準備されていればよい。このように、物品抜去治具１をディスクアレイ装置１００から分離した状態で準備したことにより、図２（Ａ）中、参照番号１１０で示すように、余剰のスペースを確保することができる。よ図２（Ｂ）を参照すると、比較例のディスクアレイ装置２００は、ディスクアレイ装置２００内に、ＨＤＤ８０のロック機構２５０と、このロック機構２５０によるロック状態を解除するロック解除機構２５１の双方を備えている。本実施形態のディスクアレイ装置１００は、装置内部にロック解除機構が不要となるため、余剰のスペース１１０を確保することができる。スペース１１０は、どのように利用してもよい。換言すれば、一基のＨＤＤ８０の実装スペースが縮小されるため、高密度実装を実現することができる。高密度実装が実現されれば、ディスクアレイ装置１００の小型化を図ることもできる。なお、ディスクアレイ装置１００内には、制御部１０３を備えた基板１０２と、主電源からの電力を制御部１０３やＨＤＤ８０等の各動作部に対して供給する図示しない電源ユニットが設けられている。ＨＤＤ８０は、ＨＤＤ８０が備える電源コネクタと活性枠５０が備える電源コネクタとが接続されることにより、電力を得ることができる。
【００１５】
活性枠５０は、ディスクアレイ装置１００の支柱１０１に設けられた係合穴１０１ａに対し出没自在に設けられたラッチ５１を備える。ラッチ５１は、係合部に相当する。活性枠５０は、このラッチ５１が係合穴１０１ａに係合することによりディスクアレイ装置１００に設置される。ディスクアレイ装置１００に設置された活性枠５０は、物品抜去治具１を用いて抜去される。なお、活性枠５０
をディスクアレイ装置１００に設置するときは、活性枠５０をディスクアレイ装置１００に対して押し込み、ラッチ５１を係合穴１０１ａに係合させればよい。
【００１６】
≪物品抜去治具≫
まず、物品抜去治具１について詳細に説明する。図３乃至図８を参照すると、物品抜去治具１は、本体部２と、本体部２の上方に連設された把手部３を備える。そして、本体部２内にキー部材８を備える。キー部材８は、活性枠５０が備えるラッチ５１に設けられた凹状の被係合部５１ｂに係合する。キー部材８は、前後方向に延びる部分と、これと直交し、上下方向に延びる部分を備える。上下方向に延びる部分の下端部には、左右方向に拡がったヘッド部８ａを備える。物品抜去治具１の本体部２内には、キー部材収容部６が設けられている。キー部材８は、キー部材収容部６内に収容されている。キー部材収容部６は、キー部材８の形状に対応させて、前後方向に延びる空間と、上下方向に延びる空間を備える。キー部材８のヘッド部８ａは、本体部２の底面から露出するように設けられている。キー部材８は、キー部材収容部８で前後方向に移動することができる。また、キー部材８は、上下方向にもクリアランスを設けてキー部材収容部６内に設置されており、上下方向に僅かに動くことができる。
【００１７】
図７を参照すると、キー部材８は、後述するソレノイド７によって引き込まれた位置で拘束されるとともに、後述する解除ボタン部材１０の操作によって拘束が解除される第１ロック部８ｂを備える。第１ロック部８ｂは、キー部材収容部６の後端部に設けられた第１係合凸部６ａに係合することができる。第１ロック部８ｂは、フラップ状に形成されており、後述する解除ボタン部材１０の操作によって押し下げられることにより第１係合凸部６ａとの係合が解除される。
【００１８】
また、キー部材８は、後述するソレノイド７によって引き込まれた状態であるときに、物品抜去治具１の引き抜き動作に伴って、ソレノイド７によって引き込まれた位置で拘束される第２ロック部８ｃを備える。第２ロック部８ｃは、キー部材収容部６の中程、具体的に、前後方向に延びる空間の前端部に設けられた第２係合凸部６ｂに係合することができる。ここで、物品抜去治具１の引き抜き動作に伴うとの条件は、把手部３を持って本体部２を引き上げると、本体部２とキー部材８との上下方向の相対位置が変化することが要求される趣旨である。後述するように、ソレノイド７は、活性枠５０側から電源供給される。このため、活性枠５０の引き抜き動作が開始され、ソレノイド７への電源の供給が遮断されると、ソレノイド７によるキー部材８の引き込みが解除されることになる。このとき、何らの措置も採られておらず、さらに、誤って解除ボタン部材１０を操作してしまうと、キー部材８が前方に迫り出してしまう。そこで、物品抜去治具１の引き抜き動作に伴って、第２ロック部８ｃを第２係合凸部６ｂに係合させることで、キー部材８の初期位置への復帰を回避することができる。
【００１９】
物品抜去治具１は、キー部材８を駆動し、ラッチ５１の係合穴１０１ａへの係合を解除するソレノイド７を備える。ソレノイド７は、駆動部の一例である。ソレノイド７は、キー部材８の後方に設けられたソレノイド収容部５内に配置されている。ソレノイド７は、シャフト７ａを備える。シャフト７ａは、キー部材８と連結されている。ソレノイド７は、通電されることにより稼動し、キー部材８を後方へ引き込み、ラッチ５１と係合穴１０１ａとの係合を解除する。
【００２０】
物品抜去治具１は、電源部としての電力受給部に相当する雄コネクタ部１２を備える。雄コネクタ部１２には、活性枠５０が備える電力供給部として機能する雌コネクタ部５０ｆから電力が供給される。雄コネクタ部１２は、本体部２の底面に突出させて設けられている。雄コネクタ部１２の内部には、信号線１３の一旦が位置している。信号線１３の他端は、ソレノイド７に接続されている。本実施形態では、この雌コネクタ部５０ｆに供給された電力が活性枠５０の抜去許可信号を兼ねている。抜去の対象となる活性枠５０には、ディスクアレイ装置１００が備える制御部１０３により、通電指令が発せられる。通電指令が発せられた活性枠５０に物品抜去治具１が装着されたときにのみ、物品抜去治具１が備えるソレノイド７が作動して、その活性枠５０を抜き取ることができる。これにより、間違った活性枠５０を抜き取ることを防止することができる。なお、抜去許可は、故障等により、交換が必要となったＨＤＤ８０が収容された活性枠５０に対して発せられる。
【００２１】
物品抜去治具１は、キー部材８を初期位置に復帰させる第１の付勢部材９を備える。ここで、初期位置とは、ソレノイド７に通電されていないときのキー部材８の位置である。本実施形態における初期位置は、キー部材収容部６の前端部である。本実施形態における第１の付勢部材９は、コイルスプリングであるが、キー部材８を初期位置に復帰させることができるものであれば、他の形状、形式の部材を採用してもよい。
【００２２】
物品抜去治具１は、内部に設けられた解除ボタン部材収容部４に収容された解除ボタン部材１０を備える。解除ボタン部材収容部４は、把手部３の上面に開口し、上下方向に沿って延びる第１空間４ａと、第１空間４ａの下端部から後方に向かって延びる第２空間４ｂと、第２空間４ｂの後端から下方に向かって延びる第３空間４ｃを備える。第３空間４ｃは、キー部材収容部６と連通している。解除ボタン部材１０は、解除ボタン部材収容部４の形状に対応した形状を備える。具体的に、解除ボタン部材１０は、第１空間４ａ内に位置する第１部１０ａ、第２空間４ｂ内に位置する第２部１０ｂ、第３空間４ｃ内に位置する第３部１０ｃを備える。第１部１０ａの上端部は、把手部３から露出している。第３部１０ｃの下端部は、キー部材収容部６に露出することができ、第１ロック部８ｂを押圧し、第１ロック部８ｂの第１係合凸部６ａへの係合を解除することができる。第２空間４ｂ内には、解除ボタン部材１０を支持する支持部材１１が装備されている。支持部材１１は、コイルスプリングであり、解除ボタン部材１０を上方へ付勢している。なお、支持部材１１の形状、形式は、コイルスプリングに限定されない。
【００２３】
物品抜去治具１の下面側には、枠状の保持凹部２ａ及び位置決め凸部２ｂが設けられている。これらは、物品抜去治具１が活性枠５０に装着される際の位置決めとなる。
【００２４】
≪活性枠≫
つぎに、物品収容体たる活性枠５０について説明する。図３、図４及び図６を参照すると、活性枠５０は、物品収容部５０ａを備える。本実施形態における物品収容部５０ａには、ＨＤＤ８０が収容される。活性枠５０は、ディスクアレイ装置１００が備える支柱１０１に設けられた係合穴１０１ａに対し出没自在に設けられるとともに、物品抜去治具１が備えるキー部材８が係合する凹状の被係合部５１ｂが設けられたラッチ５１を備える。ラッチ５１は、ラッチ収容部５０ｂ内に収容されている。ラッチ５１の先端部は、ラッチ収容部５０ｂの端部に設けられた開口部５０ｂ１に出没する。ラッチ５１の先端部には、テーパ面５１ａが設けられている。テーパ面５１ａは、上側から下側に向かって内側に入り込む傾斜面となっている。テーパ面５１ａは、ディスクアレイ装置１００に設置される活性枠５０が設置位置に向かって押し込まれるときに支柱１０１ａの端部に接触することによって、ラッチ５１をスムーズに押し込む。被係合部５１ｂは、物品抜去治具１が備えるキー部材８のヘッド部８ａが係合するように凹状に形成されている。ラッチ５１は、第２の付勢部材５２によって係合穴１０１ａ側、すなわち、外側に向かってに付勢されている。
【００２５】
活性枠５０は、物品抜去治具１が備えるキー部材８が挿通されるとともに、キー部材８が係合されるキー溝部５０ｃを備える。キー溝部５０ｃは、キー部材８のヘッド部８ａを受け入れ可能な寸法を備えた導入溝部５０ｃ１と、この導入溝部５０ｃ１の後側に連設され、キー部材８がスライドすることができるスライド溝部５０ｃ２を含んでいる。スライド溝部５０ｃ２の幅は、導入溝部５０ｃ１よりも狭くなっている。このため、キー部材８がソレノイド７によって引き込まれ、スライド溝部５０ｃ２に沿ってスライドすると、キー部材８のヘッド部８ａがスライド溝部５０ｃ２の両側に係合される。この状態で、物品抜去治具１を引き抜けば、活性枠５０を抜去することができる。なお、第２の付勢部材５２は、被係合部５１が導入溝部５０ｃ１と一致しているときが自由長状態となるように設定されている。
【００２６】
活性枠５０は、上述のように、物品抜去治具１が備える雄コネクタ部１２と嵌合する雌コネクタ部５０ｆを備える。この雌コネクタ部５０ｆは、ラッチ５１と係合穴１０１ａとの係合状態の解除を許可する抜去許可信号を物品抜去治具へ送信する信号発信部として機能するとともに、ソレノイド７を駆動するための電力供給部として機能する。雌コネクタ部５０ｆは、信号線５４を通じて基板１０２と接続されており、制御部１０３によって抜去が許可された活性枠５０が備える雌コネクタ部５０ｆが通電される。通電された雌コネクタ部５０ｆに物品抜去治具１が備える雄コネクタ部１２が嵌合すると、ソレノイド７が稼動する。このように、雌コネクタ部５０ｆは、抜去許可信号として機能する。
【００２７】
活性枠５０は、位置決め穴５０ｄを備える。位置決め穴５０ｄは、物品抜去治具１が備える位置決め凸部２ｂが挿入されることにより、物品抜去治具１の活性枠５０に対する位置決めを行う。活性枠５０は、発光部５０ｅを備える。発光部５０ｅには、導光管５３に一旦が接続されている。導光管５３の他端は、基板１０２に接続されている。発光部５０ｅは、活性枠５０に抜去許可が出されたときに発光し、作業者に抜去許可が出されている活性枠５０を知らせることができる。
【００２８】
つぎに、図９乃至図１３を参照して、活性枠５０がディスクアレイ装置１００から抜去される様子について説明する。図９（Ａ）は第１実施形態の物品抜去治具１を活性枠５０に装着する準備状態を示し、図９（Ｂ）は、物品抜去治具１を活性枠５０に装着した状態を示す説明図である。図１０はラッチ５１がキー部材８によって引き込まれた状態を示す説明図である。図１１は物品抜去治具１の引き抜き動作によって、第２ロック部８ｃによってキー部材８が拘束された状態を示す説明図である。図１２は活性枠５０が物品抜去治具１によってディスクアレイ装置１００から引き抜かれる様子を示す説明図である。図１３（Ａ）は第２ロック部８ｃによってキー部材８が拘束された状態を示し、図１３（Ｂ）は第２ロック部８ｃが解除された状態を示す説明図である。
【００２９】
図９（Ａ）を参照すると、活性枠５０がディスクアレイ装置１００に設置されているとき、ラッチ５１は、係合穴１０１ａに係合している。このとき、被係合部５１ｂは、導入溝部５０ｃ１の位置と一致している。このような状態で、ＨＤＤ８０に故障が発見される等して交換が必要となる活性枠５０に対し抜去許可信号が発せられると、雌コネクタ部５０ｆが通電状態とされる。また、これと併せて発光部５０ｅが発光する。作業者は、この発光部５０ｅの発光を手掛かりに交換すべき活性枠５０を探すことができる。
【００３０】
一方、物品抜去治具１が備えるソレノイド７は通電されておらず、物品抜去治具１が備えるキー部材８は、第１の付勢部材９によって前方に押し出された状態となっている（初期状態）。このとき、ヘッド部８ａの位置は、導入溝部５０ｃ１の位置と一致している。また、キー部材８は、第１係合凸部６ａに乗り上げた状態となっている。
【００３１】
作業者は、発光部５０ｅが発光する活性枠５０に対し、図９（Ｂ）に示すように物品抜去治具１を装着する。これにより、雄コネクタ部１２と雌コネクタ部５０ｆが嵌合し、ソレノイド７に通電される。ソレノイド７に通電されると、図１０に示すようにキー部材８及びラッチ５１が引き込まれる。これにより、キー部材８のヘッド部８ａがスライド溝部５０ｃ２の下側に潜り込み活性枠５０と係合された状態となり、また、ラッチ５１と係合穴１０１ａとの係合が解除されて活性枠５０を引き抜くことができる状態となる。このとき、キー部材８が備える第１ロック部８ｂは、第１係合凸部６ａに係合した状態となる。一方、第２ロック部８ｃは、第２係合凸部６ｂと係合していない。これは、被係合部５１ｂの底面にヘッド部８ａが接地し、キー部材８の高さ方向位置が維持されているからである。
【００３２】
上述のように作業者は、発光部５０ｅの発光を目印にして物品抜去治具１を目的とする活性枠５０に装着する。仮に、作業者が、間違った活性枠５０に物品抜去治具を装着しても、その活性枠５０の雌コネクタ部５０ｆには通電されておらず、ソレノイド７は稼動しないため、活性枠５０を引き抜くことはできない。
【００３３】
つぎに、図１１を参照すると、把手部３を握った作業者によって物品抜去治具１を引き抜く動作がされると、瞬間的に物品抜去治具１のみが僅かに持ち上がる。このとき、スライド溝部５０ｃ２の下側に潜り込んだヘッド部８ａは、活性枠５０によって押さえられ、相対的にキー部材８は下方に移動し、物品抜去治具１の本体部２は上方へ移動する。これにより、第２係合凸部６ｂと第２ロック部８ｃとが係合する。
【００３４】
図１２に示すように、さらに物品抜去治具１を引き抜くと、活性枠５０がディスクアレイ装置１００から引き出される。この結果、基板１０２と切り離された雌コネクタ部５０ｆへの通電が遮断され、ソレノイド７への通電も停止される。しかしながら、この時点において、第１ロック部８ｂが第１係合凸部６ａと係合し、また、第２ロック部８ｃが第２係合凸部６ｂと係合しているので、キー部材８は、その位置で拘束されている。この状態で、仮に、誤って、解除ボタン部材１０を操作してしまっても、第２ロック部８ｃと第２係合凸部６ｂとの係合によりキー部材８は拘束が維持される。すなわち、ヘッド部８ａがスライド溝部５０ｃ２の下側に潜り込んだ状態が維持され、物品抜去治具１と活性枠５０との結合状態も維持される。
【００３５】
つぎに、図１３（Ａ）を参照すると、第１ロック部８ｂ及び第２ロック部８ｃによってキー部材８が拘束されている。これは、物品抜去治具１が引き上げられており、活性枠５０が、物品抜去治具１から離れるように物品抜去治具１に懸下した状態を示している。この結果、未だ、第２係合凸部６ｂと第２ロック部８ｃとが噛み合い、係合した状態となっている。この状態から、例えば、活性枠５０を台上に載置し、物品抜去治具１の引き上げ状態を解除すると、活性枠５０と物品抜去治具１とが密着した状態となる。この結果、本体部２がキー部材８よりも相対的に下がった状態となり、第２係合凸部６ｂと第２ロック部８ｃとの係合が解除される。この状態で解除ボタン部材を押圧すると、第１ロック部８ｂが押されて第１係合凸部６ａとの係合が解除される。そして、第１の付勢部材９に付勢されたキー部材８が初期位置に復帰する。これに伴って、ヘッド部８が導入溝部５０ｃ１の下側まで移動する。これにより、キー部材８とキー溝部５０ｃとの係合が解除可能となり、物品抜去治具１を活性枠５０から取り外すことができる。
【００３６】
以上が、活性枠５０をディスクアレイ装置１００から抜去する一連の操作となる。本実施形態の物品抜去治具１及び活性枠５０によれば、活性枠５０のディスクアレイ装置１００へのロック状態を解除する機構を物品抜去治具１側に設けたので、ディスクアレイ装置１００側のスペース効率が向上した。また、本実施形態は、活性枠５０毎にロック解除機構を備える必要がないので、この点でも、スペース効率上、有利である。さらに、抜去許可が出されている活性枠５０に装着したときでなければ、物品抜去治具１が備えるキー部材８が作動しないので、誤抜去を回避することができる。
【００３７】
（第２実施形態）
つぎに、第２実施形態につき、図１４を参照しつつ説明する。第１実施形態では、雄コネクタ部１２と雌コネクタ部５０ｆとが嵌合することにより、ソレノイド７に電源が供給されていた。これに対し、第２実施形態では、ソレノイド７を駆動する電池６１を物品抜去治具６０が備える電源部として備えている。また、第１実施形態では、雄コネクタ部１２と雌コネクタ部５０ｆとが嵌合することにより、抜去許可信号の送受信が行われていたが、第２実施形態の物品抜去治具６０は、抜去許可信号の受信部として光センサ６２を備えている。光センサ６２は、基板１０２に装備された発光部２１の光を検知する。すなわち、光センサ６２は、活性枠６５内に設けられた導光管６３を通じて導かれる発光部２１の光を検知する。導光管６３は、信号発信部として機能する。発光部２１は、抜去許可が出されたときに発光することで抜去許可信号として機能する。発光部２１の発光は、作業者へ抜去許可が出された活性枠６５を知らせる目印ともなる。
【００３８】
作業者が導光管６３を通じた発光部２１の発光を目印に活性枠６５に物品抜去治具６０を装着すると、光センサ６２が光を検知して電池６１の電力をソレノイド７へ供給する。これにより、物品抜去治具６０は、第１実施形態と同様の動作を実現することができる。なお、第１実施形態と共通する構成要素には、図面中、同一の参照番号を付し、その詳細な説明は省略する。
【００３９】
（第３実施形態）
つぎに、第３実施形態につき、図１５及び図１６を参照しつつ説明する。第２実施形態では、信号発信部として導光管６３を備え、抜去許可信号の受信部として光センサ６２を備えていた。これに対し、第３実施形態では、信号発信部として電磁石７３を備え、抜去許可信号の受信部として電磁スイッチ７２を備えている。図１６を参照すると、電磁スイッチ７２は、磁石部７２ａ、接点部７２ｂ及びバネ部材７２ｃを備える。電磁スイッチ７２は、電池７１とソレノイド７に接続されている。電磁スイッチ７２は、通電された電磁石７３と接近すると、磁石部７２ａが電磁石７３に引き寄せられ、接点部７２ｂが接触状態となる。これにより、ソレノイド７に電池７１の電力が供給される。磁石部７２ａと電磁石７３とが離間すると、接点部７２ｂがバネ部材７２ｃにより元位置に復帰し、通電が遮断される。
【００４０】
電磁石７３は、抜去許可が出されたときに通電される。電磁石７３に通電された活性枠７５に物品抜去治具７０を装着すると、上述のように電磁スイッチ７２が作動し、ソレノイド７に電力が供給される。これにより、物品抜去治具７０は、第１実施形態や第２実施形態と同様の動作を実現することができる。なお、第１実施形態と共通する構成要素には、図面中、同一の参照番号を付し、その詳細な説明は省略する。
【００４１】
上記各実施形態では、物品収容装置をディスクアレイ装置とし、物品収容体を活性枠、これに収容される物品をＨＤＤとしていたが、本明細書開示の物品収容装置、物品収容体は、倉庫やその他の用途に適用することもできる。例えば、物品収容装置を書庫として、物品収容体に書籍を収容して運用してもよい。また、物品収容装置を金庫として、物品収容体に貴重品を収容して運用してもよい。このように、本明細書開示の物品抜去治具や物品収容体は、ラックやキャビネットに物品を収容する用途に対して適用することができる。これらの用途に用いる場合も、物品抜去治具を用いることにより、誤った物品収容体を引き抜くことを防止することができる。
【００４２】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００４３】
１、６０、７０  物品抜去治具
２  本体部
３  把手部
６  キー部材収容部
６ａ  第１係合凸部
６ｂ  第２係合凸部
７  ソレノイド
８  キー部材
８ａ  ヘッド部
８ｂ  第１ロック部
８ｃ  第２ロック部
９  第１の付勢部材
１０  ボタン部材
１１  支持部材
１２  雄コネクタ部
１３  信号線
５０、６５、７５  活性枠（物品収容体）
５０ｃ  キー溝
５０ｃ１  導入溝部
５０ｃ２  スライド溝部
５０ｅ  発光部
５０ｆ  雌コネクタ部
５１  ラッチ（係合部）
５１ｂ  被係合部
５２  第２の付勢部材
５３  導光管
５４  信号線
６１、７１  電池
６２  光センサ
６３  導光管
７２  電磁スイッチ
７３  電磁石
８０  ＨＤＤ（収容対象物品）
１００  ディスクアレイ装置（物品収容装置）
１０１  支柱
１０１  係合穴
１０２  基板
１０３  制御部
【図１】
2015082332.tif 000003
【図２】
2015082332.tif 000004
【図３】
2015082332.tif 000005
【図４】
2015082332.tif 000006
【図５】
2015082332.tif 000007
【図６】
2015082332.tif 000008
【図７】
2015082332.tif 000009
【図８】
2015082332.tif 000010
【図９】
2015082332.tif 000011
【図１０】
2015082332.tif 000012
【図１１】
2015082332.tif 000013
【図１２】
2015082332.tif 000014
【図１３】
2015082332.tif 000015
【図１４】
2015082332.tif 000016
【図１５】
2015082332.tif 000017
【図１６】
2015082332.tif 000018